(57)【要約】【課題】  回転軸を通じての被回転体のアースが確保された回転駆動ユニット、および、この回転駆動ユニットを用いるのに好適な画像形成装置を提供する。【解決手段】  回転駆動力を発生する駆動源と、駆動源で発生した回転駆動力を被回転体に伝える、被回転体の回転中心につながる回転軸と、回転軸を回転自在に軸支する支持部材と、駆動源と被回転体との間に配備されたフレームに設けられた取付孔に所定方向から挿入され、取付孔よりも所定方向前側に位置する前部と、取付孔より所定方向後側に位置する後部とを有し、回転軸が所定方向に貫通し支持部材を内部に収容したハウジングと、ハウジングに取り付けられたものであって、ハウジング内部で回転軸に接し、ハウジングの後部から、ハウジングの、フレームよりも所定方向後側の外部に延在した脚部を有するアース部材とを備えた。【選択図】        図４
2006053465.tif 000002
【特許請求の範囲】
【請求項１】
被回転体を回転駆動する回転駆動ユニットにおいて、
回転駆動力を発生する駆動源と、
前記駆動源で発生した回転駆動力を前記被回転体に伝える、該被回転体の回転中心につながる回転軸と、
前記回転軸を回転自在に軸支する支持部材と、
前記駆動源と前記被回転体との間に配備されたフレームに設けられた取付孔に所定方向から挿入され、該取付孔よりも前記所定方向前側に位置する前部と、該取付孔より該所定方向後側に位置する後部とを有し、前記回転軸が該所定方向に貫通し前記支持部材を内部に収容したハウジングと、
前記ハウジングに取り付けられたものであって、該ハウジング内部で前記回転軸に接し、該ハウジングの後部から、該ハウジングの、前記フレームよりも前記所定方向後側の外部に延在した脚部を有するアース部材とを備えたことを特徴とする回転駆動ユニット。
【請求項２】
回転する像担持体上に静電潜像を形成し該静電潜像をトナーにより現像することで該像担持体上にトナー像を得、該トナー像を最終的に記録媒体上に転写および定着することにより該記録媒体上に定着されたトナー像からなる画像を形成する画像形成装置において、
前記駆動源と前記像担持体との間に配備され、所定の取付孔を有するフレームと、
前記像担持体を回転駆動する回転駆動ユニットとを備え、
前記回転駆動ユニットが、
回転駆動力を発生する駆動源と、
前記駆動源で発生した回転駆動力を前記像担持体に伝える、該像担持体の回転中心につながる回転軸と、
前記回転軸を回転自在に軸支する支持部材と、
前記駆動源と前記像担持体との間に配備されたフレームに設けられた取付孔に所定方向から挿入され、該取付孔よりも前記所定方向前側に位置する前部と、該取付孔より該所定方向後側に位置する後部とを有し、前記回転軸が該所定方向に貫通し前記支持部材を内部に収容したハウジングと、
前記ハウジングに取り付けられたものであって、該ハウジング内部で前記回転軸に接し、該ハウジングの後部から、該ハウジングの、前記フレームよりも前記所定方向後側の外部に延在した脚部を有するアース部材とを備えたものであることを特徴とする画像形成装置。
【請求項３】
前記ハウジングが、外周に前記所定方向に延びるキーを有するものであり、
前記フレームは、前記ハウジングが前記取付孔に所定方向から挿入される際に前記キーが挿通されるキー孔を有するものであることを特徴とする請求項２記載の画像形成装置。
【発明の詳細な説明】
【技術分野】
【０００１】
本発明は、被回転体を回転駆動する回転駆動ユニット、および、このような回転駆動ユニットが備えられた画像形成装置に関する。
【背景技術】
【０００２】
従来より、回転する感光体上にトナー像を形成し、該トナー像を最終的に記録媒体上に転写および定着させることにより記録媒体上に定着されたトナー像からなる画像を形成する画像形成装置が知られている。
【０００３】
このような画像形成装置には、感光体を回転駆動する回転駆動ユニットが設けられている（例えば、特許文献１参照）。特許文献１に記載された回転駆動ユニットでは、モータと感光体との間に配置されたフレームの挿通孔に回転軸を挿通させ感光体を回転駆動する。
【０００４】
このような回転駆動ユニットを備えた画像形成装置では、感光体のメンテナンス等を考慮して感光体にアクセスしやすいように、モータを装置リア側に配置して回転軸を装置リア側から装置フロント側に延在させ、装置フロント側で感光体を回転軸で貫通する構成をとるものがあり、このような画像形成装置には、感光体をアースするために、感光体を貫通し感光体よりもさらにフロント側に延びる回転軸にアース部材を接触させたものがある。
【０００５】
ここで、リア側からフロント側に延びる回転軸が感光体を貫通し感光体よりもさらにフロント側にまで延びている回転駆動ユニットでは、ユーザが感光体のメンテナンス等でフロント側から感光体にアクセスする際に、アース部材に触れてしまう可能性があり危険であるという問題がある。
【０００６】
そこで、アース部材をフレームからこの挿通孔に向けて引き出し、この挿通孔に挿通された回転軸に接触させることでリア側でアースすることが考えられる。
【０００７】
しかし、このようにすると、ユーザによる接触事故は避けられるもののフレームに設けられた挿通孔に回転軸を挿通させる際に回転軸又は軸上の駆動用カップリングとアース部材が衝突し、アース部材が変形してしまうことでアースの確保が難しくなるという問題がある。
【０００８】
尚、上記問題は、感光体を貫通することで感光体と電気的に接続した回転軸にアース部材を接触させた回転駆動ユニットに限らず、被回転体を貫通することでこの被回転体と電気的に接続した回転軸にアース部材を接触させた回転駆動ユニットでも起こりうる問題である。
【特許文献１】特開平５−５３３８１号公報
【発明の開示】
【発明が解決しようとする課題】
【０００９】
本発明は、上記事情に鑑み、回転軸を通じての被回転体のアースが確保された回転駆動ユニット、および、この回転駆動ユニットを用いるのに好適な画像形成装置を提供することを目的とする。
【課題を解決するための手段】
【００１０】
上記目的を達成するための本発明の回転駆動ユニットは、
被回転体を回転駆動する回転駆動ユニットにおいて、
回転駆動力を発生する駆動源と、
上記駆動源で発生した回転駆動力を上記被回転体に伝える、この被回転体の回転中心につながる回転軸と、
上記回転軸を回転自在に軸支する支持部材と、
上記駆動源と上記被回転体との間に配備されたフレームに設けられた取付孔に所定方向から挿入され、その取付孔よりも上記所定方向前側に位置する前部と、その取付孔よりその所定方向後側に位置する後部とを有し、上記回転軸がその所定方向に貫通し上記支持部材を内部に収容したハウジングと、
上記ハウジングに取り付けられたものであって、このハウジング内部で上記回転軸に接し、このハウジングの後部から、このハウジングの、上記フレームよりも上記所定方向後側の外部に延在した脚部を有するアース部材とを備えたことを特徴とする。
【００１１】
本発明の回転駆動ユニットでは、アース部材が、ハウジング内部で回転軸に接する部分を有すると共に、アース部材の脚部が、フレームに設けられた取付孔よりも、ハウジングがこの取付孔に挿入される所定方向後側、即ち取付孔をくぐらせる必要のない位置に備えられている。
【００１２】
これにより、本発明の回転駆動ユニットによれば、フレームに設けられた取付孔に回転軸を挿通する際の、アース部材と他の部材との衝突による変形、特にアースとしての機能を果たすために重要な、回転軸との接触部分および脚部の変形を回避できることから、回転軸を通じて被回転体のアースを確保することができる。
【００１３】
上記目的を達成するための本発明の画像形成装置は、
回転する像担持体上に静電潜像を形成しこの静電潜像をトナーにより現像することでこの像担持体上にトナー像を得、このトナー像を最終的に記録媒体上に転写および定着することによりこの記録媒体上に定着されたトナー像からなる画像を形成する画像形成装置において、
上記駆動源と上記像担持体との間に配備され、所定の取付孔を有するフレームと、
上記像担持体を回転駆動する回転駆動ユニットとを備え、
上記回転駆動ユニットが、
回転駆動力を発生する駆動源と、
上記駆動源で発生した回転駆動力を上記像担持体に伝える、この像担持体の回転中心につながる回転軸と、
上記回転軸を回転自在に軸支する支持部材と、
上記駆動源と上記被回転体との間に配備されたフレームに設けられた取付孔に所定方向から挿入され、その取付孔よりも上記所定方向前側に位置する前部と、その取付孔よりその所定方向後側に位置する後部とを有し、上記回転軸がその所定方向に貫通し上記支持部材を内部に収容したハウジングと、
上記ハウジングに取り付けられたものであって、このハウジング内部で上記回転軸に接し、このハウジングの後部から、このハウジングの、上記フレームよりも上記所定方向後側の外部に延在した脚部を有するアース部材とを備えたものであることを特徴とする。
【００１４】
本発明の画像形成装置によれば、上記取付孔に回転軸を挿通する際の、アース部材と他の部材との衝突による変形を回避することができることから、回転軸を通じて像担持体のアースを確保することができる。
【００１５】
ここで、上記ハウジングが、外周に上記所定方向に延びるキーを有するものであり、
上記フレームは、上記ハウジングが上記取付孔に所定方向から挿入される際に上記キーが挿通されるキー孔を有するものであることが好ましい。
【００１６】
例えば、アース部材が、回転軸に接触する部分と脚部との間で上記ハウジングから露出し、取り付けの際にこの露出した部分が上記取付孔をくぐる態様であったとしても、このようにすることで、この露出部分とフレームとの衝突を回避してこの露出部分の破損を防止することができる。これにより、回転軸を通じて像担持体のアースを一層確実に確保することができる。
【発明の効果】
【００１７】
本発明の回転駆動ユニットを備えた本発明の画像形成装置によれば、回転軸を通じて像担持体のアースを確保することができる。
【発明を実施するための最良の形態】
【００１８】
以下、本発明の回転駆動ユニットおよび本発明の画像形成装置の実施形態について説明する。
【００１９】
図１は、本発明の回転駆動ユニットの一実施形態を備えた、本発明の画像形成装置の一実施形態の概略構成図である。
【００２０】
図１に示す本実施形態のプリンタ１は、転写部１１０と、Ｙ（イエロ）、Ｍ（マゼンタ）、Ｃ（シアン）、およびＫ（黒）のトナー像をそれぞれ形成する画像形成部１Ｙ、１Ｍ、１Ｃ、１Ｋと、定着部１２０と、用紙搬送部１３０と、用紙トレイ部１４０とで構成されている。
【００２１】
画像形成部１Ｙ、１Ｍ、１Ｃ、１Ｋは、図１の右側から順にＹ（イエロ）、Ｍ（マゼンタ）、Ｃ（シアン）、Ｋ（黒）の矢印Ａ方向に回転する各色用感光体ロール１１Ｙ、１１Ｍ、１１Ｃ、１１Ｋ、各色用の露光光が出射される露光器であるＬＥＤ１１２Ｙ、１１２Ｍ、１１２Ｃ、１１２Ｋ、および、感光体ロール表面にＬＥＤによって形成された静電潜像を各色トナー像で現像する現像ロール１１３Ｙ、１１３Ｍ、１１３Ｃ、１１３Ｋでそれぞれ構成されている。
【００２２】
転写部１１０は、各色用感光体ロール上に形成されたトナー像が重ねて転写される中間転写ベルト１１１、中間転写ベルト１１１が所定のルートを循環移動（矢印Ｂ方向）するように配置されたローラ１１０ａ、および、中間転写ベルト１１１上に一次転写されたトナー像を用紙搬送経路１３１に沿って搬送されてきた記録用紙上に二次転写する二次転写ローラ１１２で構成されている。
【００２３】
定着部１２０は、互いに対向して配備された、加圧ロール１２２および加熱ロール１２１で構成されている。
【００２４】
用紙トレイ部１４０は、用紙トレイ１４１、用紙トレイ１４１から記録用紙を引き出すピックアップローラ１４２、および、ピックアップローラ１４２により引き出された記録用紙を用紙搬送経路１３１に導くフィードローラ１４３で構成されている。
【００２５】
用紙搬送部１３０は、用紙搬送経路１３１、用紙搬送経路１３１に沿って配備されて記録用紙を搬送する搬送ローラ１３２、および、画像形成が行なわれた後の記録用紙を筐体１ａの上面に排出する排出ローラ１３３で構成されている。
【００２６】
このプリンタ１におけるフルカラー画像の形成は、まず、感光体ロール１１Ｙが図示しない帯電器によって帯電され、画像信号に応じた露光がイエロ用のＬＥＤ１１２Ｙによって行なわれて潜像が形成される。その潜像は現像ロール１１３Ｙによりイエロのトナーで現像されて感光体ロール１１Ｙ上にイエロのトナー像が形成される。そのトナー像は図示しない転写器により中間転写ベルト１１１に一次転写される。
【００２７】
中間転写ベルト１１１は矢印Ｂ方向に循環移動しており、中間転写ベルト１１１上に転写されたイエロのトナー像が次の色のマゼンタ用に備えられた転写器配置位置に到達するタイミングに合わせてマゼンタのトナー像が転写器配置位置に到達するように、感光体ロール１１１Ｍ上ではマゼンタのトナー像形成が行なわれる。こうして形成されたマゼンタのトナー像は、転写器によって中間転写ベルト１１１上のイエロのトナー像の上に重ねて転写される。
【００２８】
続いて、シアンおよび黒のトナー像形成が上記と同様のタイミングで行われ、中間転写ベルト１１１のイエロおよびマゼンタのトナー像の上に順次重ねて転写される。
【００２９】
こうして、中間転写ベルト１１１上に転写された多色トナー像は、タイミングを合わせて用紙トレイ１４１から引き出された記録用紙に二次転写ローラ１１２によって二次転写される。
【００３０】
多色トナー像が転写された記録用紙は、用紙搬送経路１３１に沿って定着部１２０に運ばれて加熱されると共に加圧される。これにより、多色トナー像は、記録用紙に定着される。
【００３１】
図２は、感光体ロールとその感光体ロールを回転させる回転駆動ユニットとの外観斜視図である。
【００３２】
図２には、右側から順に、画像形成部１Ｙ、１Ｍ、１Ｃ、１Ｋの構成要素である、感光体１１Ｙ、１１Ｍ、１１Ｃ、１１Ｋ、および、回転駆動ユニット１０Ｙ、１０Ｍ、１０Ｃ、１０Ｋが示されている。以下、イエロ用の回転駆動ユニット１０Ｙを代表的に取りあげて説明する。
【００３３】
図２に示す回転駆動ユニット１０Ｙは、モータＭを備え、そのモータＭの回転を減速して、出力軸でもある感光体シャフトに伝達することで感光体シャフトによって貫通された感光体ロールを回転駆動するものである。この回転駆動ユニット１０Ｙは、モータＭの他、感光体シャフト１４Ｙと、モータＭの回転を減速する遊星減速機１２Ｙと、遊星減速機１２Ｙに挿通された感光体シャフト１４Ｙを支持するベアリングが収容されたインロー部１３Ｙと、感光体シャフト１４Ｙを中心とする回転方向への移動は禁止されているものの延在方向に移動自在の、感光体ロール１１Ｙと係合して感光体シャフト１４Ｙの回転駆動力を感光体１１Ｙに伝達するカップリング１５Ｙと、感光体シャフト１４Ｙの根元側に感光体ロール１１Ｙによって押し込まれてきたカップリング１５Ｙを押し返すバネ１６Ｙとを備えている。
【００３４】
図３は、図２に示す回転駆動ユニットの外観斜視図である。
【００３５】
図３には、各色用の回転駆動ユニット１０Ｙ、１０Ｍ、１０Ｃ、１０Ｋ、および、これら回転駆動ユニット１０Ｙ、１０Ｍ、１０Ｃ、１０Ｋが取り付けられる筐体１ａの所定部位１００ａが示されている。
【００３６】
図３に示す所定部位１００ａには、回転駆動ユニット１０Ｋのインロー部１３Ｋを挿通させるための開口１０１ａが設けられている。
【００３７】
回転駆動ユニット１０Ｋは、遊星減速機１２Ｋのケース１２１Ｋが所定部位１００ａにネジ止めされることで、筐体１ａに固定され、この際、インロー部１３Ｋは、所定部位１００ａに設けられた開口１０１ａをくぐることになる。
【００３８】
また、図３には、インロー部１３Ｋを構成するケース１３１Ｋに備えられたキー部１３１２Ｋと、所定部位１００ａの開口１０１ａの一部に形成された、このキー部１３１２Ｋを挿通させるための切欠部１０１１ａが示されているが、これらについては後述する。尚、遊星減速機１２Ｋのケース１２１Ｋには、遊星減速機１２Ｋを所定部位１００ａに取り付けるための取付部１２１１Ｋが備えられている。また、インロー部１３Ｋのケース１３１Ｋと遊星減速機１２Ｋのケース１２１Ｋとが、本発明にいうハウジングの一例に相当する。
【００３９】
図４は、各色用の回転駆動ユニットの、下方からの外観斜視図である。
【００４０】
図４には、インロー部１３Ｋのケース１３１Ｋに備えられた突出部１３１１Ｋにアース部材１３２Ｋがネジ１３３Ｋによって固定されている様子が示されている。
【００４１】
また、図４には、このアース部材１３２Ｋの一方の二股部分１３２２Ｋ（図５参照）がケース１３１Ｋ内に入り込み、もう一方の二股部分である脚部１３２１Ｋが横方向に延在している様子が示されている。尚、アース部材１３２Ｋの、横向きに延在している脚部１３２１Ｋは、遊星減速機１２Ｋが筐体１ａの所定部位１００ａに取り付けられた際に、この所定部位１００ａに接触するように一部が屈曲されており、このプリンタ１では、感光体ロール１１Ｋのアースが、感光体シャフト１４Ｋを通じて筐体１ａでとられている。
【００４２】
図５は、Ｙ色用の回転駆動ユニットを上方から見た場合を示す図である。
【００４３】
図５には、感光体シャフト１４Ｙが、インロー部１３Ｙを貫通して遊星減速機内にまで挿通されて、遊星減速機１２Ｙ内に備えられたベアリング１２２Ｙと、インロー部１３Ｙ内に備えられたベアリング１３４Ｙによって支持されている様子が示されている。このインロー部１３Ｙは、感光体ロール１１Ｙが挿通される感光体シャフト１４Ｙに遊星減速機１２Ｙで減速したモータの回転を伝達する回転駆動ユニット１Ｙにおいては、感光体シャフト１４Ｙを支持するために必須とされる構成要素である。
【００４４】
図５にも示すカップリング１５Ｙは、感光体シャフト１４Ｙを中心とする回転方向への移動は規制されてはいるものの、軸方向への移動が所定の範囲で可能なようにピン１５１Ｙによって取り付けられており、図５にも示すバネ１６Ｙは、不図示の感光体ロール１１Ｙがこの感光体シャフト１１Ｙに挿通されることでカップリング１５Ｙが遊星減速機１２Ｙ側に押し込まれた際にカップリング１５Ｙを感光体シャフト１４Ｙの先端部に向かわせる付勢を与える。このようにしておくことで、感光体シャフト１４Ｙに感光体ロール１１Ｙを挿通する際にカップリング１５Ｙとの係合を確実に行なわせることができる。尚、インロー部１３Ｙを構成するケース１３１Ｙに備えられたキー部１３１２Ｙは、ケース１３１Ｙの突出部分１３１１Ｙよりもバネ側に長くなっているが、これは、開口１０１ａの形状に合わせずにインロー部１３Ｙを挿通させようとする場合に、突出部分１３１１に固定されたアース部材１３２Ｙの中間部分を守るための措置である。
【００４５】
図６は、インロー部の、図５に示すＦ−Ｆ断面を示す図である。
【００４６】
図６には、ケース１３１Ｙの突出部分１３１１Ｙにアース部材１３２Ｙが取り付けられ、ケース１３１Ｙの下方に設けられた切欠部１３１３Ｙを経由してケース１３１Ｙ内に入り込んでいる、アース部材１３２Ｙの二股部分１３２２Ｙが感光体シャフト１４Ｙと接触している様子が示されている。尚、このプリンタ１では、インロー部１３Ｙのケース１３１Ｙの切欠部１３１３Ｙが横向き、その他では下向きになっているが、これは、トナーやゴミなどが侵入し、アース当接部材１３２２Ｙが異常摩耗しないようにするためである。
【００４７】
以上に説明した本実施形態のプリンタ１の回転駆動ユニット１０では、アース部材１３２が、ケース１３１内部で回転軸１４に接する部分を有すると共に、アース部材１３２の脚部１３２１が、所定部位１００ａに設けられた開口１０１１ａをくぐらせる必要のない位置に備えられている。
【００４８】
これにより、本実施形態のプリンタによれば、筐体１ａの所定部位１００ａに設けられた開口１０１ａに感光体シャフト１４を挿通する際の、アース部材１３２と他の部材との衝突による変形、特にアースとしての機能を果たすために重要な、感光体シャフト１４との接触部分の二股部分１３２２および脚部１３２１の変形を回避できることから、感光体シャフト１４を通じて感光体ロール１１のアースを確保することができる。
【００４９】
また、インロー部１３Ｙを構成するケース１３１Ｙには、キー部１３１２Ｙが備えられ、所定部位１００ａの開口１０１ａの一部には、このキー部１３１２Ｙを挿通させるための切欠部１０１１ａが形成されている。したがって、遊星減速機１２を筐体１ａの所定部位１００ａに取り付けるために、所定部位１００ａに設けられた開口１０１ａをインロー部１３Ｙがくぐる際、これらを嵌合させるようにすることで、感光体シャフト１４と接触する二股部分１３２２Ｙと脚部１３２１Ｙ以外の部分でケース１３１Ｙから露出した、アース部材１３２の一部分と所定部位１００ａとの衝突を回避することができる。このようにすることで、ケース１３１Ｙから露出した部分の所定部位１００ａとの衝突を回避してこの部分の破損を防止することができることから感光体シャフト１４を通じて感光体ロール１１のアースを一層確実に確保することができる。
【００５０】
尚、以上に説明した実施形態では、インロー部１３Ｙを構成するケース１３１Ｙにキー部１３１２Ｙが備えられている場合を例に挙げて説明したが、キー部１３１２Ｙが備えられていないものであってもよく、また、以上に説明した実施形態では、感光体に回転駆動力を与える回転軸を出力軸とする遊星減速機を例に挙げて説明したが、被回転体に回転駆動力を与える回転軸が回転駆動機の出力軸になっているものであればこれに限るものではなく、感光体以外の被回転体や遊星減速機以外の回転駆動機であってもよい。
【図面の簡単な説明】
【００５１】
【図１】本発明の回転駆動ユニットの一実施形態を備えた、本発明の画像形成装置の一実施形態の概略構成図である。
【図２】感光体ロールと感光体ロールを回転させる回転駆動ユニットとの外観斜視図である。
【図３】図２に示す回転駆動ユニットの外観斜視図である。
【図４】各色用の回転駆動ユニットの、下方からの外観斜視図である。
【図５】Ｙ色用の回転駆動ユニットの断面図である。
【図６】インロー部の、図５に示すＦ−Ｆ断面を示す図である。
【符号の説明】
【００５２】
１  プリンタ
１ａ  筐体
１００ａ  所定部位
１０１ａ  開口
１０１１ａ  切欠部
１Ｙ、１Ｍ、１Ｃ、１Ｋ  画像形成部
１０Ｙ、１０Ｍ、１０Ｃ、１０Ｋ  回転駆動ユニット
１１Ｙ、１１Ｍ、１１Ｃ、１１Ｋ  感光体ロール
１２Ｙ、１２Ｍ、１２Ｃ、１２Ｋ  遊星減速機
１２１Ｙ、１２１Ｍ、１２１Ｃ、１２１Ｋ  ケース
１２１１Ｙ、１２１１Ｍ、１２１１Ｃ、１２１１Ｋ  取付部
１２２Ｙ、１２２Ｍ、１２２Ｃ、１２２Ｋ
１３Ｙ、１３Ｍ、１３Ｃ、１３Ｋ  インロー部
１３１Ｙ、１３１Ｍ、１３１Ｃ、１３１Ｋ  ケース
１３１１Ｙ、１３１１Ｍ、１３１１Ｃ、１３１１Ｋ  突出部
１３１２Ｙ、１３１２Ｍ、１３１２Ｃ、１３１２Ｋ  キー部
１３１３Ｙ、１３１３Ｍ、１３１３Ｃ、１３１３Ｋ  切欠部
１３２Ｙ、１３２Ｍ、１３２Ｃ、１３２Ｋ  アース部材
１３２１Ｙ、１３２１Ｍ、１３２１Ｃ、１３２１Ｋ  脚部
１３２２Ｙ、１３２２Ｍ、１３２２Ｃ、１３２２Ｋ  二股部分
１３３Ｙ、１３３Ｍ、１３３Ｃ、１３３Ｋ  ネジ
１３４Ｙ、１３４Ｍ、１３４Ｃ、１３４Ｋ  ベアリング
１４Ｙ、１４Ｍ、１４Ｃ、１４Ｋ  感光体シャフト
１５Ｙ、１５Ｍ、１５Ｃ、１５Ｋ  カップリング
１５１Ｙ、１５１Ｍ、１５１Ｃ、１５１Ｋ  ピン
【図１】
2006053465.tif 000003
【図２】
2006053465.tif 000004
【図３】
2006053465.tif 000005
【図４】
2006053465.tif 000006
【図５】
2006053465.tif 000007
【図６】
2006053465.tif 000008